(57)【要約】【課題】ＧＵＩを容易に使いこなすことができる画像処理装置及び画像形成装置を提供する。【解決手段】所定の画像を表示する表示部３２ａと、原稿を読み取る原稿読取部と、表示部３２ａの表示画面上に表示させる文字を、原稿読取部で読み取った原稿に書かれていた文字に対応する大きさで表示させる制御部と、を備える画像処理装置を採用する。【選択図】図５
2014236258.tif 000002
【特許請求の範囲】
【請求項１】
所定の画像を表示する表示部と、
原稿を読み取る原稿読取部と、
前記表示部の表示画面上に表示させる文字を、前記原稿読取部で読み取った前記原稿に書かれていた文字に対応する大きさで表示させる制御部と、
を備えることを特徴とする画像処理装置。
【請求項２】
前記制御部は、予め登録されている複数の文字の大きさのうち、前記原稿に書かれていた文字の大きさに最も近いものを選択し、その選択した文字の大きさで前記文字を表示させることを特徴とする請求項１に記載の画像処理装置。
【請求項３】
前記表示部の表示画面上で為された操作に応じた操作信号を出力する操作部を有し、
前記制御部は、予め登録されている複数の文字の大きさのうち、前記原稿に書かれていた文字の大きさに近いものを複数選択し、その複数選択した文字の大きさに対応する複数のアイコンを前記表示部の表示画面上に表示させ、前記操作信号を基に前記複数のアイコンのうちのいずれかのアイコンが指定されたことを検知した場合、その指定されたアイコンに対応する文字の大きさで前記文字を表示させることを特徴とする請求項１に記載の画像処理装置。
【請求項４】
前記操作部は、前記表示部の表示画面に対向配置されたタッチパネルであり、前記操作信号としてユーザーに押下された部位の座標を示す信号を出力することを特徴とする請求項３に記載の画像処理装置。
【請求項５】
請求項１〜４のいずれか一項に記載の画像処理装置を備えることを特徴とする画像形成装置。
【請求項６】
印刷用紙に画像を印刷して印刷物として出力する印刷部と、
前記印刷用紙に所定の原稿画像を印刷するときの文字のレイアウトを、前記原稿読取部で読み取った前記原稿に書かれていた文字の大きさに対応する文字のレイアウトに変更する第２の制御部と、
を備えることを特徴とする請求項５に記載の画像形成装置。
【発明の詳細な説明】
【技術分野】
【０００１】
本発明は、画像処理装置及び画像形成装置に関するものである。
【背景技術】
【０００２】
従来から、原稿読取部で読み取った原稿の画像（原稿画像）を表示部にプレビュー表示等する画像処理装置を具備する画像形成装置が知られている。
近年、画像処理装置においては、このようなＧＵＩ(Graphical User Interface)の使い勝手をよりよくするため、表示部における表示をユーザーに応じてカスタマイズすることが提案されている。
【０００３】
例えば、下記特許文献１には、デバイスの操作画面に表示するボタンを適切に減らし、ユーザーが望むボタンを容易に探して操作可能とするような、操作性が高いユーザーインターフェースを提供するべく、上階層で表示すると判定されたワンタッチボタンと、該ワンタッチボタンに関連するまとめボタンと、を表示画面上に表示するようにした画像処理システムが開示されている。
【先行技術文献】
【特許文献】
【０００４】
【特許文献１】特開２０１０−２６３３８１号公報
【発明の概要】
【発明が解決しようとする課題】
【０００５】
ところで、このような画像処理装置を使用するユーザーは、老若男女さまざまである。このため、例えば高齢のユーザーによっては、表示部に表示された文字を読むことができず、ＧＵＩを使いこなせない場合がある。
この場合、ＧＵＩの機能キーを押下し、文字サイズを大きくする等の操作が必要となるが、その機能キーに付されている文字が小さく表示されていると、その機能キーの説明が分からない、使わない、といった問題がある。
【０００６】
本発明は、上記問題点に鑑みてなされたものであり、ＧＵＩを容易に使いこなすことができる画像処理装置及び画像形成装置を提供することを目的とする。
【課題を解決するための手段】
【０００７】
上記の課題を解決するために、本発明は、所定の画像を表示する表示部と、原稿を読み取る原稿読取部と、前記表示部の表示画面上に表示させる文字を、前記原稿読取部で読み取った前記原稿に書かれていた文字に対応する大きさで表示させる制御部と、を備える画像処理装置を採用する。
【０００８】
また、本発明では、前記制御部は、予め登録されている複数の文字の大きさのうち、前記原稿に書かれていた文字の大きさに最も近いものを選択し、その選択した文字の大きさで前記文字を表示させるという構成を採用する。
【０００９】
また、本発明では、前記表示部の表示画面上で為された操作に応じた操作信号を出力する操作部を有し、前記制御部は、予め登録されている複数の文字の大きさのうち、前記原稿に書かれていた文字の大きさに近いものを複数選択し、その複数選択した文字の大きさに対応する複数のアイコンを前記表示部の表示画面上に表示させ、前記操作信号を基に前記複数のアイコンのうちのいずれかのアイコンが指定されたことを検知した場合、その指定されたアイコンに対応する文字の大きさで前記文字を表示させるという構成を採用する。
【００１０】
また、本発明では、前記操作部は、前記表示部の表示画面に対向配置されたタッチパネルであり、前記操作信号としてユーザーに押下された部位の座標を示す信号を出力するという構成を採用する。
【００１１】
また、本発明では、先に記載の画像処理装置を備える画像形成装置を採用する。
【００１２】
また、本発明では、印刷用紙に画像を印刷して印刷物として出力する印刷部と、前記印刷用紙に所定の原稿画像を印刷するときの文字のレイアウトを、前記原稿読取部で読み取った前記原稿に書かれていた文字の大きさに対応する文字のレイアウトに変更する第２の制御部と、を備えるという構成を採用する。
【発明の効果】
【００１３】
本発明では、原稿読取部に読み取らせた原稿に書かれた文字に対応する大きさで、表示部の表示画面上の文字を表示させる。ユーザーが持ってきたその原稿は、そのユーザーが可読することができる大きさの文字が書かれているのが通常である。したがって、表示部の表示画面上に表示させる文字の大きさを、ユーザーが持ってきた原稿に書かれた文字に対応する大きさで表示することにより、ユーザーに見やすい表示となるようにＧＵＩを簡単にカスタマイズすることができる。
したがって、本発明によれば、ＧＵＩを容易に使いこなすことができる画像処理装置及び画像形成装置が得られる。
【図面の簡単な説明】
【００１４】
【図１】本発明の第１実施形態における複合機の要部構成を示す正面透視図である。
【図２】本発明の第１実施形態における複合機の機能ブロック図である。
【図３】本発明の第１実施形態における複合機の動作（正確には制御部がコピーモード時に実行する各種処理のシーケンス）を示すフローチャートである。
【図４】本発明の第１実施形態における表示部の表示画面上において表示させる文字サイズ設定画面の一例である。
【図５】本発明の第１実施形態における文字サイズ設定後、表示部の表示画面上において表示させるレイアウトの一例図である。
【図６】本発明の第２実施形態における複合機の動作（正確には制御部がプリントモード時に実行する各種処理のシーケンス）を示すフローチャート図である。
【図７】本発明の第２実施形態における表示部の表示画面上において表示させる文字サイズ設定画面の一例である。
【図８】本発明の第２実施形態における印刷物のレイアウト変更の一例である。
【発明を実施するための形態】
【００１５】
以下、図面を参照しながら、本発明の一実施形態について説明する。なお、以下では、本発明に係る画像処理装置を備える画像形成装置として、コピー機、プリンター及びファクシミリ等の機能を併せ持つ複合機を例示して説明する。また、この複合機は、例えばコンビニエンスストアに設置され、不特定多数のユーザーが使用可能とされるものとする。
【００１６】
（第１実施形態）
図１は、本発明の第１実施形態における複合機１の要部構成を示す正面透視図である。図２は、本発明の第１実施形態における複合機１の機能ブロック図である。これらの図に示すように、複合機１は、印刷部１０と、原稿読取部２０と、ＧＵＩ(Graphical User Interface)３０と、通信部４０と、制御部５０と、を備えている。なお、原稿読取部２０、ＧＵＩ３０及び制御部５０は、本実施形態における画像処理装置１００を構成するものである。
【００１７】
印刷部１０は、制御部５０による制御の下、印刷用紙に画像を印刷して印刷物として出力するものであり、給紙部１１、トナー画像形成部１２、定着部１３及び排紙トレイ１４等を備えている。給紙部１１は、定型の印刷用紙を複数枚（例えば、数百枚程度）収容可能であると共に、複合機１の正面から引出し可能な給紙カセット１１ａを複数備えている。給紙カセット１１ａの各々に収容された印刷用紙のうちの最上位の印刷用紙は、ピックアップローラー１１ｂの駆動によって繰り出されてトナー画像形成部１２へ搬送される。
【００１８】
トナー画像形成部１２は、印刷すべき画像に応じたトナー画像を印刷用紙に形成するものであり、感光体ドラム１２ａ、露光部１２ｂ、現像部１２ｃ、転写部１２ｄ、帯電部１２ｅ等を備えている。感光体ドラム１２ａは、印刷すべき画像に応じた静電潜像が形成されると共に、現像されたトナー画像を担持する円筒形の感光体である。露光部１２ｂは、感光体ドラム１２ａの表面に静電潜像を形成するためのレーザー光を感光体ドラム１２ａに照射する。
【００１９】
現像部１２ｃは、静電潜像が形成された感光体ドラム１２ａにトナーを供給することにより、静電潜像を現像してトナー画像にする。転写部１２ｄは、感光体ドラム１２ａに担持されているトナー画像を、給紙部１１から搬送されてきた印刷用紙に転写する。帯電部１２ｅは、帯電ローラー等の接触帯電部材への電圧印加により、転写後の感光体ドラム１２ａの周面を再び帯電状態とさせ、露光部１２ｂによる次の静電潜像の形成に備えさせる。
【００２０】
定着部１３は、トナー画像形成部１２によって印刷用紙に転写（形成）されたトナー画像を加熱及び加圧して印刷用紙に定着させた後、当該定着処理後の印刷用紙を所望の画像が印刷された印刷物として排紙トレイ１４へ排出（出力）する。排紙トレイ１４は、定着部１３から出力される印刷物を溜め置きするための部位であり、印刷部１０の上部に設けられている。
【００２１】
原稿読取部２０は、制御部５０による制御の下、ユーザーにセットされた原稿を読み取り、その原稿の画像（原稿画像）を示す原稿画像データを生成して制御部５０に出力するものであり、ＡＤＦ（自動原稿送り装置）２１、キャリッジ２２、原稿台２３及び原稿読取スリット２４等を備えている。ＡＤＦ２１は、読み取りを行うべき原稿を順次自動給紙する装置である。キャリッジ２２は、露光ランプ及びＣＣＤ（Charge Coupled Device）センサー等を搭載しており、ＡＤＦ２１によって順次給紙される原稿、或いは原稿台２３にセットされた原稿を読み取る。
【００２２】
具体的に、原稿台２３にセットされた原稿を読み取る場合には、キャリッジ２２は、原稿台２３の長手方向に移動しながらＣＣＤセンサーにより原稿を読み取る。これに対し、ＡＤＦ２１から給紙される原稿を読み取る場合には、キャリッジ２２は、原稿読取スリット２４に対向する位置（原稿読取スリット２４の下方の位置）において、ＡＤＦ２１から順次給紙される原稿を、原稿読取スリット２４を介してＣＣＤセンサーにより読み取る。
【００２３】
ＧＵＩ３０は、ユーザーによる操作に応じた信号（操作信号）を制御部５０に出力すると共に、制御部５０による制御に応じて複合機１の状態を示す情報等の各種情報を表示するものであり、操作キー３１及び操作表示部３２を備えている。操作キー３１は、コピースタートキー、コピーストップ／クリアキー、テンキー（数値入力キー）及び機能切替キー等のハードキーである。なお、機能切替キーとは、複合機１で実現されるコピー機能、プリント機能、スキャン機能及びファクシミリ機能の各々をユーザーが使用する場合に、各機能の動作モードへ複合機１を切り替える為のキーである。
【００２４】
操作表示部３２は、制御部５０による制御の下、所定の画像を表示する表示部３２ａと、この表示部３２ａの表示画面上で為された操作に応じた操作信号を制御部５０に出力する操作部３２ｂとを備えている。なお、表示部３２ａは、例えば液晶パネル或いは有機ＥＬパネルである。また、操作部３２ｂは、例えば表示部３２ａの表示画面に対向配置されたタッチパネルであり、上記操作信号としてユーザーに押下された部位の座標を示す信号を出力する。
【００２５】
通信部４０は、相手先ファクシミリやパーソナルコンピューター等の外部機器との通信を行うものであり、ファクシミリ通信部４１及びネットワークＩ／Ｆ部４２を備える。ファクシミリ通信部４１は、公衆電話回線に接続されて相手先ファクシミリとの間で通信を行う。ネットワークＩ／Ｆ部４２は、例えばＬＡＮ（Local Area Network）に接続されて、同じくＬＡＮに接続されたパーソナルコンピューター等の端末装置との間で通信を行う。
【００２６】
制御部５０は、ＧＵＩ３０から入力された操作信号、及び通信部４０を介して外部機器から受信した信号に基づいて、複合機１の全体動作を統括制御する。この制御部５０は、ＣＰＵ（Central Processing Unit）、ＲＯＭ（Read Only Memory）、ＲＡＭ（Random Access Memory）並びに上記各構成機器と信号の入出力を行うインタフェース回路などから構成されている。また、詳細は後述するが、この制御部５０は、表示部３２ａの表示画面上に表示させる文字を、原稿読取部２０で読み取った原稿に書かれていた文字に対応する大きさで表示させる制御を行う。
【００２７】
本実施形態の制御部５０は、表示部３２ａの表示画面上に表示させる文字を、予め登録された複数の文字の大きさ（フォントサイズ）のいずれかで表示させるようになっている。本実施形態の制御部５０は、一般的な単位であるＤＰＴポイント（１pt＝１／７２in）で登録された複数の文字の大きさ（例えば、８pt、９pt、１０pt、１０．５pt、１１pt、１２pt、１４pt、１６pt、１８pt、２２pt、２４pt、２６pt、２８pt、３６pt、４８pt、７２pt）のいずれかで、表示部３２ａの表示画面上に文字を表示させるようになっている。
【００２８】
次に、上記のように構成された複合機１の動作について説明する。
図３は、本発明の第１実施形態における複合機１の動作（正確には制御部５０がコピーモード時に実行する各種処理のシーケンス）を示すフローチャートである。
図３に示すように、先ず、ステップＳ１では、原稿台２３に原稿が載置されたか否かを判定する。原稿台２３に載置された原稿は、例えばキャリッジ２２に搭載された露光ランプやＣＣＤセンサー等を用いた光検知によって検知される。ステップＳ１において「Ｙｅｓ」の場合、ステップＳ２に移行する。
【００２９】
次のステップＳ２では、スタートボタンが押下されたか否かを判定する。このスタートボタンは、操作キー３１であっても、操作表示部３２に表示されるボタンであっても良い。ステップＳ２において、「Ｙｅｓ」の場合、すなわち、問題なく（例えば、各種設定を行うことなく）原稿台２３に載置した原稿をコピーする場合、ステップＳ８に移行する。一方、ステップＳ２において、「Ｎｏ」の場合、ステップＳ３に移行する。
【００３０】
ステップＳ３では、スタートボタンが押下されない状態で所定時間が経過したか否かを判定する。この所定時間とは、ユーザーがＧＵＩ３０を操作し、各種設定を行うために要すると想定され得る時間である。本実施形態では、例えば、当該所定時間を５分に設定している。ステップＳ３において、「Ｎｏ」の場合、ステップＳ２に戻り、再びスタートボタンの押下を受け付ける。一方、ステップＳ３において、「Ｙｅｓ」の場合、すなわち、５分を経過してもスタートボタンが押下されない場合、高齢のユーザー等がＧＵＩ３０を操作できずに困っていると判断できるため、ステップＳ４に移行する。
【００３１】
次のステップＳ４では、ユーザーの指示によらずに、原稿台２３に載置された原稿を自動的に読み取る。原稿読取部２０は、制御部５０から原稿の読み取り指示を受けると、原稿台２３に載置された原稿を読み取り、その原稿画像を示す原稿画像データを生成して、制御部５０に出力する。制御部５０は、その原稿画像データに基づいて、原稿台２３に載置された原稿に含まれる手書き文字や印刷された文字と、前もって記憶していたパターンとの照合を行うことにより文字を特定するＯＣＲ（Optical Character Reader）処理を行い、図４に示すような文字サイズ設定画面を表示させる（ステップＳ５）。
【００３２】
図４は、表示部３２ａの表示画面上において表示させる文字サイズ設定画面の一例である。図４に示すように、表示部３２ａの表示画面上には、「パネル設定画面」という表題６０と、「この文字サイズに設定しますか？」というガイド６１と、が表示される。なお、ガイド６１には、高齢のユーザー等を考慮して、同文章の音声ガイドを付しても良い。また、表示部３２ａの表示画面上には、原稿読取部２０で読み取った原稿に書かれていた文字６２（以下、原稿文字６２と称する場合がある）と、原稿文字６２の大きさに対応する文字６３（以下、設定文字６３と称する場合がある）と、が表示される。
【００３３】
原稿文字６２は、原稿読取部２０で読み取った原稿に書かれていた文字の大きさで表示されるもの（本実施形態では「し」の文字）である。この原稿文字６２は、原稿に実際に書かれていた文字のうち制御部５０が任意に選択した一の文字（所定段落の先頭の文字等）であっても良いし、また、原稿画像データをＯＣＲ処理したものの平均の文字の大きさで表示した代表文字であっても良い。
【００３４】
設定文字６３は、制御部５０において予め登録されている文字の大きさのうち、原稿文字６２に最も近い大きさで表示されるアイコンである。例えば、ＯＣＲ処理の結果、原稿文字６２が、２５ptより大きく２７ptより小さい範囲内にあると判定された場合には、２６ptの設定文字６３が、表示部３２ａの表示画面上に表示される。このように、制御部５０は、予め登録されている複数の文字の大きさのうち、原稿文字６２の大きさに最も近いものを選択し、その選択した文字の大きさで設定文字６３を表示させるようになっている。
【００３５】
図３に戻り、次のステップＳ６では、文字サイズ設定画面を表示した結果、文字サイズの設定がなされたか否かを判定する。ステップＳ６において、「Ｎｏ」の場合、すなわち、スタートボタンを押下せず所定時間が経過したが、それが意図しない不注意によるものであり、ユーザーが文字サイズの設定を必要ないと判断し、図４に示す「Ｎｏ」のボタン６４を押下した場合、文字の大きさの変更をすることなく、ステップＳ２に戻る。一方、ステップＳ６において、「Ｙｅｓ」の場合、すなわち、図４に示す設定文字６３のアイコンが押下された場合、図５に示すような文字サイズ設定完了画面を表示させる（ステップＳ７）。
【００３６】
図５は、文字サイズ設定後、表示部３２ａの表示画面上において表示させるレイアウトの一例である。図５に示すように、表示部３２ａの表示画面上には、ガイド６１の代わりに、「文字サイズ設定しました。」というガイド６５が表示される。また、表示部３２ａの表示画面上には、ステップＳ６において押下した設定文字６３と、確認のための「ＯＫ」のボタン６６と、が表示される。図５に示すように、制御部５０は、表示部３２ａの表示画面上に表示させる文字（表題６０やガイド６５）を、原稿文字６２に対応する大きさ（設定文字６３の大きさ）で表示させるレイアウト変更を行う。
【００３７】
このように、表示部３２ａの表示画面上のレイアウトを変更したら、ステップＳ２に戻り、図５に示すように大きな文字でレイアウト変更された操作表示部３２上で、ユーザーから各種設定（モノクロ、カラー、部数、用紙サイズ等）を受け付ける。そして、所定の時間内にスタートボタンの押下を受け付けたら、ステップＳ８に移行し、原稿台２３に載置された原稿を読み取り（ステップＳ８）、各種設定に基づき印刷用紙に原稿画像を印刷し、印刷物として出力する（ステップＳ９）。
【００３８】
上述のシーケンスに示すように、本実施形態では、原稿読取部２０に読み取らせた原稿に書かれた文字に対応する大きさで、表示部３２ａの表示画面上の文字を表示させる。ユーザーが持ってきたその原稿は、そのユーザーが可読することができる大きさの文字が書かれているのが通常である（逆に言えば、ユーザーが可読できない文字の原稿を持ってくることは稀である）。したがって、表示部３２ａの表示画面上に表示させる文字の大きさを、ユーザーが持ってきた原稿に書かれた文字に対応する大きさで表示することにより、高齢のユーザーであっても、そのユーザーにとって見やすい表示となるようにＧＵＩ３０を簡単にカスタマイズすることができる。
【００３９】
したがって、上述した本実施形態によれば、所定の画像を表示する表示部３２ａと、原稿を読み取る原稿読取部２０と、表示部３２ａの表示画面上に表示させる文字を、原稿読取部２０で読み取った原稿に書かれていた文字に対応する大きさ（設定文字６３）で表示させる制御部５０と、を備える画像処理装置１００を採用することによって、ＧＵＩ３０を容易に使いこなすことができる複合機１が得られる。
【００４０】
（第２実施形態）
次に、本発明の第２実施形態について説明する。以下の説明において、上述の実施形態と同一又は同等の手法及び構成部分については同一の符号を付し、その説明を簡略若しくは省略する。
【００４１】
図６は、本発明の第２実施形態における複合機１の動作（正確には制御部５０がプリント時に実行する各種処理のシーケンス）を示すフローチャートである。
図６に示すように、第２実施形態では、印刷物として出力する原稿画像データが、所定の記憶媒体（ＵＳＢメモリ等）や通信部４０を介して外部機器から入力されることにより、動作が開始される（ステップＳ１０）。
【００４２】
次のステップＳ１１では、スタートボタンが押下されたか否かを判定する。ステップＳ１１において、「Ｙｅｓ」の場合、すなわち、問題なく（例えば、各種設定を行うことなく）入力された原稿画像データに基づき原稿画像をコピーする場合、ステップＳ１９に移行する。一方、ステップＳ１１において、「Ｎｏ」の場合、ステップＳ１２に移行する。
【００４３】
ステップＳ１２では、スタートボタンが押下されない状態で所定時間が経過したか否かを判定する。ステップＳ１２において、「Ｎｏ」の場合、ステップＳ１１に戻り、再びスタートボタンの押下を受け付ける。一方、ステップＳ１２において、「Ｙｅｓ」の場合、すなわち、５分を経過してもスタートボタンが押下されない場合、高齢のユーザー等がＧＵＩ３０を操作できずに困っていると判断できるため、ステップＳ１３に移行する。
【００４４】
次のステップＳ１３では、文字サイズ設定のための原稿載置の催促画面を表示する。この原稿載置の催促画面には、例えば、所定の用紙にユーザーの手書きの文字を書いた原稿や、ユーザーが手持ちの本やノート等の原稿を、原稿台２３に載置するようなガイドが表示される。なお、当該所定の用紙は、中央に所定の大きさの文字記入欄があり、ユーザーが任意の大きさの一文字を記入できるものとする様式とすることが好ましい。また、当該用紙は、ペンと共に複合機１に所定枚数備え付けられていることが好ましい。
【００４５】
次のステップＳ１４では、原稿台２３に原稿が載置されたか否かを判定する。原稿台２３に載置された原稿は、例えばキャリッジ２２に搭載された露光ランプやＣＣＤセンサー等を用いた光検知によって検知される。ステップＳ１４において、「Ｎｏ」の場合、原稿が載置されるまで、原稿載置の催促画面を表示する。一方、ステップＳ１４において、「Ｙｅｓ」の場合、すなわち、ユーザーの手書きの文字を含む所定の用紙やユーザーの手持ちの書籍等が原稿台２３に載置された場合、ステップＳ１５に移行する。
【００４６】
次のステップＳ１５では、原稿台２３に載置された原稿を自動的に読み取る。原稿読取部２０は、制御部５０から原稿の読み取り指示を受けると、原稿台２３に載置された原稿を読み取り、その原稿画像を示す原稿画像データを生成して、制御部５０に出力する。制御部５０は、その原稿画像データに基づいて、原稿台２３に載置された原稿に含まれる手書き文字や印刷された文字と、前もって記憶していたパターンとの照合を行うことにより文字を特定するＯＣＲ処理を行い、図７に示すような文字サイズ設定画面を表示させる（ステップＳ１６）。
【００４７】
図７は、第２実施形態における表示部３２ａの表示画面上において表示させる文字サイズ設定画面の一例である。図７に示すように、表示部３２ａの表示画面上には、「パネル設定画面」という表題６０と、「どの文字サイズに設定しますか？」というガイド６７と、が表示される。なお、ガイド６７には、高齢のユーザー等を考慮して、同文章の音声ガイドを付しても良い。また、表示部３２ａの表示画面上には、原稿読取部２０で読み取った原稿に書かれていた文字６２（以下、原稿文字６２と称する場合がある）と、原稿文字６２の大きさに対応する文字６３Ａ，６３Ｂ（以下、設定文字６３Ａ，６３Ｂと称する場合がある）と、が表示される。
【００４８】
原稿文字６２は、原稿読取部２０で読み取った原稿に書かれていた文字の大きさで表示されるもの（本実施形態では「し」の文字）である。この原稿文字６２は、ステップＳ１４において原稿台２３に載置した、所定の用紙に記入したユーザーの手書きの文字であっても良いし、ユーザーの手持ちの書籍のうち制御部５０が任意に選択した一の文字（所定の段落の先頭の文字等）であっても良いし、また、当該書籍の原稿画像データをＯＣＲ処理したものの平均の文字の大きさで表示した代表文字であっても良い。
【００４９】
設定文字６３Ａ，６３Ｂは、制御部５０において予め登録されている文字の大きさのうち、原稿文字６２に近い大きさで表示されるアイコンである。例えば、ＯＣＲ処理の結果、原稿文字６２が、３２ptであると判定された場合には、３６ptの設定文字６３Ａと２８ptの設定文字６３Ｂとが、表示部３２ａの表示画面上に表示される。このように、制御部５０は、予め登録されている複数の文字の大きさのうち、原稿文字６２の大きさに近いものを複数選択し、その複数選択した文字の大きさで複数の設定文字６３Ａ，６３Ｂ（複数のアイコン）を表示させるようになっている。
【００５０】
図６に戻り、次のステップＳ１７では、文字サイズ設定画面を表示した結果、文字サイズの設定がなされたか否かを判定する。ステップＳ１７において、「Ｎｏ」の場合、すなわち、ユーザーが文字サイズの設定が必要ないと判断し、図７に示す「Ｎｏ」のボタン６４を押下した場合、文字の大きさの変更をすることなく、ステップＳ１１に戻る。一方、ステップＳ１７において、「Ｙｅｓ」の場合、すなわち、図７に示す設定文字６３Ａ若しくは設定文字６３Ｂのいずれかアイコンが押下された場合、ステップＳ１８に移行する。
【００５１】
次のステップＳ１８では、ステップＳ１７において指定された設定文字６３Ａ若しくは設定文字６３Ｂのいずれかアイコンに対応する文字の大きさで、上述した図５に示すような文字サイズ設定完了画面を表示させる。すなわち、制御部５０は、操作部３２ｂの操作信号を基に複数のアイコン（設定文字６３Ａ若しくは設定文字６３Ｂ）のうちのいずれかのアイコンが指定されたことを検知した場合、その指定されたアイコンに対応する文字の大きさで、表示部３２ａの表示画面上に表示させる文字を表示させるレイアウト変更を行う。
【００５２】
このように、表示部３２ａの表示画面上のレイアウトを変更したら、ステップＳ１１に戻り、原稿文字６２に対応する大きさでレイアウト変更された操作表示部３２上で、ユーザーから各種設定（モノクロ、カラー、部数、用紙サイズ等）を受け付ける。そして、所定の時間内にスタートボタンの押下を受け付けたら、ステップＳ１９に移行する。このように、第２実施形態では、原稿読取部２０に読み取らせた原稿文字６２が、予め登録された文字の大きさに合致しない場合であっても、制御部５０が原稿文字６２の大きさに近い設定文字６３Ａ，６３Ｂをその登録された候補の中から絞り込んで表示し、ユーザーに指定させるため、例えば高齢のユーザーであっても、そのユーザーにとって見やすい表示となるようにＧＵＩ３０を簡単にカスタマイズすることができる。
【００５３】
次のステップＳ１９では、ステップＳ１７において文字サイズの設定をしたか否かを判定する。ステップＳ１９において、「Ｎｏ」の場合、入力された原稿画像データに基づき印刷用紙に原稿画像を印刷し、印刷物として出力する（ステップＳ２１）。一方、ステップＳ１９において、「Ｙｅｓ」の場合、すなわち、ステップＳ１７において文字サイズの設定をした場合、例えば高齢のユーザーであれば、入力された原稿画像データに基づいてそのままの文字の大きさで原稿画像を印刷したのでは、その印刷物が可読できない場合があるため、このような場合を考慮してステップＳ２０に移行する。
【００５４】
ステップＳ２０では、印刷物のレイアウト変更を行う。図８は、ステップＳ１７において設定した文字サイズに基づく印刷物のレイアウト変更の一例である。図８（ａ）は、入力された原稿画像データのレイアウト７０を示す。また、図８（ｂ）は、入力された原稿画像データのレイアウト７０を、ステップＳ１７において設定した文字の大きさ（例えば図７に示す設定文字６３Ｂ）に基づいて変更したレイアウト７１を示す。
【００５５】
具体的に、図８（ａ）に示すレイアウト７０は、書き出しの文章（「本日はお日柄も良くＯＯＯＯ…」）が、一行に収まるようなレイアウトとなっている。一方、図８（ｂ）に示すレイアウト７１では、書き出しの文章が二行に分かれるようなレイアウトになっている。このように、第２実施形態の制御部（第２の制御部）５０は、印刷用紙に所定の原稿画像を印刷するときの文字のレイアウト７０を、ステップＳ１５において原稿読取部２０で読み取った原稿に書かれていた文字の大きさに対応するレイアウト７１に変更する。その後、ステップＳ２１に移行し、変更したレイアウト７１に基づいて用紙に原稿画像を印刷し、印刷物として出力する。
【００５６】
このように、第２実施形態では、原稿読取部２０に読み取らせた原稿に書かれた文字に対応するレイアウト７１となるように、入力された原稿画像データのレイアウト７０を変更する。ユーザーが所定の用紙に記入した文字やユーザーが持ってきた書籍に記載された文字は、そのユーザーが可読することができる大きさの文字が書かれているのが通常である。したがって、印刷物のレイアウトを、ユーザーが持ってきた原稿に書かれた文字の大きさに対応する文字のレイアウトに変更することにより、高齢のユーザーであっても、そのユーザーにとって見やすい印刷物を簡単に出力することができる。
【００５７】
このように、上述した第２実施形態によれば、所定の画像を表示する表示部３２ａと、原稿を読み取る原稿読取部２０と、表示部３２ａの表示画面上に表示させる文字を、原稿読取部２０で読み取った原稿に書かれていた文字に対応する大きさ（設定文字６３Ａ若しくは設定文字６３Ｂ）で表示させる制御部５０と、を備える画像処理装置１００を採用することによって、ＧＵＩ３０を容易に使いこなすことができる複合機１が得られる。
【００５８】
以上、図面を参照しながら本発明の好適な実施形態について説明したが、本発明は上記実施形態に限定されるものではない。上述した実施形態において示した手法及び各構成部材の諸形状や組み合わせ等は一例であって、本発明の主旨から逸脱しない範囲において設計要求等に基づき種々変更可能である。
【００５９】
例えば、上記実施形態では、原稿読取部で読み取った原稿に書かれていた文字として、ひらがなの「し」を例示したが、本発明はこの手法に限定されず、他の文字であっても良い。例えば、ひらがなの「あ」であっても良い。また、文字の大きさを取得できるならば、漢字やローマ字等であっても良い。なお、当該文字は、読取難易度を考慮して設定することが好ましい。
【００６０】
また、例えば、上記実施形態では、原稿に実際に書かれていた文字のうち制御部が任意に選択した一の文字を文字サイズ設定のための代表文字とする手法について説明したが、本発明はこの手法に限定されず、ユーザーが予め読み取らせる文字を指定する手法を採用しても良い。この手法を採用する場合、例えば、ユーザーが原稿に書かれていた文字の一つをペンでマーキング（例えば、○で囲う、色付けする等）したその文字を読み取るように、制御部において予めプログラムしておく必要がある。
【００６１】
また、例えば、上記実施形態では、表示部の表示画面上に表示させる文字を、原稿読取部で読み取った原稿に書かれていた文字に対応する予め登録されている複数の文字の大きさのうちのいずれかで表示させる手法について説明したが、本発明はこの手法に限定されず、表示部の表示画面上に表示させる文字を、原稿読取部で読み取った原稿に書かれていた文字そのものの大きさで表示させる手法を採用しても良い。この場合の表示画面のレイアウトは、その読み取った原稿文字のＤＰＴポイントよりも大きな設定文字に対応するレイアウトとすれば、問題なく表示部の表示画面上に文字を表示させることができる。
【００６２】
また、例えば、上記実施形態では、ＤＰＴポイントを基準として複数の文字の大きさを予め登録する手法について説明したが、本発明はこの手法に限定されず、他の単位（例えば「Ｑ」、１Ｑ＝０．２５ｍｍ）を基準として複数の大きさを予め登録する手法を採用しても良い。また、例えば、上記実施形態では、予め登録されている複数の文字の大きさを、８pt、９pt、１０pt、１０．５pt、１１pt、１２pt、１４pt、１６pt、１８pt、２２pt、２４pt、２６pt、２８pt、３６pt、４８pt、７２ptとしたが、更に細分化して登録しても良い。
【００６３】
また、例えば、上記第２実施形態では、予め登録されている複数の文字の大きさのうち、原稿に書かれていた文字の大きさに近いものとして、候補を２つの設定文字に絞って表示させる手法について説明したが、本発明はこの手法に限定されず、候補は３つでも、４つでも良い。また、原稿読取部で読み取った原稿に書かれていた文字そのもののと、複数の候補を同時に表示させる手法を採用しても良い。なお、候補が多い程、高齢のユーザー等は混乱するため、上記第２実施形態のように、原稿文字の前後の大きさの２つの設定文字を表示する手法を採用することが好ましい。
【００６４】
また、例えば、上記実施形態では、印刷用紙に所定の原稿画像を印刷するときの文字のレイアウトを、原稿読取部で読み取った原稿に書かれていた文字の大きさに対応する文字のレイアウトに変更する第２の制御部を、制御部と同一のハードとして構成する手法について説明した、本発明はこの手法に限定されず、制御部と、第２の制御部をそれぞれ機能別に別のハードとして構成する手法を採用しても良い。なお、上記実施形態のように、制御系を一つのハードとして構成すれば、コストの低減や部品点数の削減に寄与できる。
【００６５】
また、例えば、上記実施形態では、画像形成装置として、複合機を例示したが、本発明は、例えば、複写機、プリンター、ファクシミリ装置等の画像形成装置にも適用可能である。
【００６６】
また、例えば、上記実施形態では、上述の画像処理装置を適用する装置として、画像形成装置を例示したが、本発明は、画像形成装置以外の装置にも適用可能である。例えば、本発明の画像処理装置は、画像形成機能を持たないスキャナー装置にも適用可能である。
【符号の説明】
【００６７】
１…複合機（画像形成装置）、１０…印刷部、２０…原稿読取部、３０…ＧＵＩ、３２ａ…表示部、３２ｂ…操作部、５０…制御部（制御部、第２の制御部）、６２…原稿文字、６３…設定文字、６３Ａ…設定文字（アイコン）、６３Ｂ…設定文字（アイコン）、７０…レイアウト、７１…レイアウト、１００…画像処理装置
【図１】
2014236258.tif 000003
【図２】
2014236258.tif 000004
【図３】
2014236258.tif 000005
【図４】
2014236258.tif 000006
【図５】
2014236258.tif 000007
【図６】
2014236258.tif 000008
【図７】
2014236258.tif 000009
【図８】
2014236258.tif 000010